(57)【特許請求の範囲】
【請求項１】
水の流量を計測する流量センサーと、前記流量センサーが水の流れを検知している時間を計測するタイマーと、前記タイマーが一定値を超えたかどうか判定する使用時間判定手段と、各時間帯毎の前記使用時間判定手段の判定結果を一定期間分記憶する記憶手段と、燃焼運転制御を行う制御手段を備え、前記制御手段は、前記記憶手段に記憶されている各時間帯毎の使用時間判定結果をもとに各時間帯の運転のオン・オフを行う石油給湯機。
【請求項２】
制御手段は、記憶手段に記憶されている一定期間の同じ時間帯で一定期間すべての日において使用時間判定結果が一定値を超えていない場合、その時間帯の運転をオフし、１日でも使用時間判定結果が一定値を超えていれば運転をオンする請求項１記載の石油給湯機。
【請求項３】
制御手段は、記憶手段に記憶されている同じ時間帯の使用時間判定結果が一定値を超えた日が設定された日数未満であるときはその時間帯の運転をオフし、それ以外の場合はその時間帯の運転をオンする請求項１記載の石油給湯機。
【請求項４】
使用時間判定手段の判定値を、時間帯によって変化させる請求項１記載の石油給湯機。
【請求項５】
水の流量を計測する流量センサーと、前記流量センサーの信号を受けて単位時間当たりの積算流量をカウントするカウンタと、前記カウンタが一定値を超えたかどうか判定する積算流量判定手段と、各時間帯毎の前記積算流量判定手段の判定結果を一定期間分記憶する記憶手段と、燃焼運転制御を行う制御手段を備え、前記制御手段は、前記記憶手段に記憶されている各時間帯毎の積算流量判定結果をもとに各時間帯の運転のオン・オフを行う石油給湯機。
【請求項６】
制御手段は、記憶手段に記憶されている一定期間の同じ時間帯で一定期間すべての日において積算流量判定結果が一定値を超えていない場合、その時間帯の運転をオフし、１日でも積算流量判定結果が一定値を超えていれば運転をオンする請求項５記載の石油給湯機。
【請求項７】
制御手段は、記憶手段に記憶されている同じ時間帯の積算流量判定結果が一定値を超えた日が設定された日数未満であるときはその時間帯の運転をオフし、それ以外の場合はその時間帯の運転をオンする請求項５記載の石油給湯機。
【請求項８】
積算流量判定手段の判定値を、時間帯によって変化させる請求項５記載の石油給湯機。
【発明の詳細な説明】
【０００１】
【発明の属する技術分野】
本発明は、灯油を気化させて燃焼する石油給湯機の運転のオンオフに関する。
【０００２】
【従来の技術】
近年、石油給湯機は、低騒音、においの少ない気化燃焼方式に移りつつある。
【０００３】
しかし、気化燃焼方式については、運転スイッチを入れてから気化を始めるため（この状態を予熱と呼ぶ）、予熱が完了するまでの２、３分お湯が使えない。そのため、ずっと運転スイッチを入れっぱなしにしておけば、いつでもお湯が使えて便利な反面、常時気化できる状態を維持するために、気化電力が多くなり、電気代がかかるという問題があった。
【０００４】
従来からこの気化燃焼方式の石油給湯機において、お湯を使いたいときにすぐに使えるということと、気化のための電力を減らすという相反する問題を解決するために、例えば特開平８−７５１４９号公報に示されるような方法があった。以下、従来例１としてその方法について説明する。この従来の石油給湯機では、一定時間以上お湯を使われなかったら、自動的に運転を停止させるものであった。これにより、無駄な気化状態を続けることは解決された。
【０００５】
また、特開平３−２８６２７号公報に示されるような方法も出願されている。以下、従来例２としてその方法について説明する。この従来の油燃焼機器の制御装置を応用した石油給湯機では、従来例１をさらに発展させたもので、一定時間以上お湯を使われなかったら、自動的に運転を停止すると共に、そのデータを記憶し、次の日は、お湯を使った時刻の少し前から予熱を始めるというものである。
【０００６】
【発明が解決しようとする課題】
しかしながら、このような従来の石油給湯機では、お湯を使わなくなってから一定時間後に運転を停止させているが、お湯の使用パターンは毎日一定ではなく、少し使用間隔が延びてしまった場合、運転が止まっていて、すぐにお湯を使えないという問題があった。
【０００７】
また、お湯を使い始める時刻も、平日と休日で異なるなど、前日のお湯の使用パターンの記憶だけでは対応できないといった問題もあった。
【０００８】
【課題を解決するための手段】
本発明は上記問題を解決することを課題とし、そのため水の流量を計測する流量センサーと、前記流量センサーが水の流れを検知している時間を計測するタイマーと、前記タイマーが一定値を超えたかどうか判定する使用時間判定手段と、各時間帯毎の前記使用時間判定手段の判定結果を一定期間分記憶する記憶手段と、燃焼運転制御を行う制御手段を備え、前記制御手段は、前記記憶手段に記憶されている各時間帯毎の使用時間判定結果をもとに各時間帯の運転のオン・オフを行う石油給湯機である。
【０００９】
上記発明によれば、使用者が運転スイッチを操作することなくお湯を使うことができる。また、その時は予熱時間を待つ必要がないので、大変便利である。さらに、運転スイッチを切らなくても自動的に運転がオフされるので、切り忘れなど無く、経済的である。そして、記憶手段には一定期間のデータが記憶されているので、使用者の生活パターンに対応させることができる。さらに、使用者がお湯を使うつもりがなかったと判断されるような湯の少量使用では、運転をオンさせないので、経済的である。
【００１０】
【発明の実施の形態】
本発明の請求項１に記載の発明は、水の流量を計測する流量センサーと、前記流量センサーが水の流れを検知している時間を計測するタイマーと、前記タイマーが一定値を超えたかどうか判定する使用時間判定手段と、各時間帯毎の前記使用時間判定手段の判定結果を一定期間分記憶する記憶手段と、燃焼運転制御を行う制御手段を備え、前記制御手段は、前記記憶手段に記憶されている各時間帯毎の使用時間判定結果をもとに各時間帯の運転のオン・オフを行う石油給湯機である。
【００１１】
そして、これにより使用者が運転スイッチを操作することなくお湯を使うことができる。また、その時は予熱時間を待つ必要がないので、大変便利である。また、運転スイッチを切らなくても自動的に運転がオフされるので、切り忘れなど無く、経済的である。そして、記憶手段には一定期間のデータが記憶されているので、使用者の生活パターンに対応させることができる。さらに、使用者がお湯を使うつもりがなかったと判断されるような湯の少量使用では、運転をオンさせないので、経済的である。
【００１２】
請求項２に記載の発明は、制御手段は、記憶手段に記憶されている一定期間の同じ時間帯で一定期間すべての日において使用時間判定結果が一定値を超えていない場合、その時間帯の運転をオフし、１日でも使用時間判定結果が一定値を超えていれば運転をオンする請求項１記載の石油給湯機である。
【００１３】
そして、これによりお湯を使う可能性があると判断した時間帯は必ず運転がオンされているので、予熱時間を待つことなくお湯が使え、大変便利である。また、記憶手段に一定期間すべての日において使用時間判定結果が一定値を超えていないと記憶されている時間帯は運転オフされるので、経済的である。
【００１４】
請求項３に記載の発明は、制御手段は、記憶手段に記憶されている同じ時間帯の使用時間判定結果が一定値を超えた日が設定された日数未満であるときはその時間帯の運転をオフし、それ以外の場合はその時間帯の運転をオンする請求項１記載の石油給湯機である。
【００１５】
そして、これによりよくお湯を使ったと判定した時間帯だけが運転オンになるので、経済的である。
【００１６】
請求項４に記載の発明は、前記使用時間判定手段の判定値を、時間帯によって変化させる請求項１記載の石油給湯機である。
【００１７】
そして、これにより生活パターンに応じた運転ができ、使いたいときにすぐ使える利便性と、無駄な運転をしない経済性の両立ができる。
【００１８】
請求項５に記載の発明は、水の流量を計測する流量センサーと、前記流量センサーの信号を受けて単位時間当たりの積算流量をカウントするカウンタと、前記カウンタが一定値を超えたかどうか判定する積算流量判定手段と、各時間帯毎の前記積算流量判定手段の判定結果を一定期間分記憶する記憶手段と、燃焼運転制御を行う制御手段を備え、前記制御手段は、前記記憶手段に記憶されている各時間帯毎の積算流量判定結果をもとに各時間帯の運転のオン・オフを行う石油給湯機である。
【００１９】
そして、これにより使用者が運転スイッチを操作することなくお湯を使うことができる。また、その時は予熱時間を待つ必要がないので、大変便利である。さらに、運転スイッチを切らなくても自動的に運転がオフされるので、切り忘れなど無く、経済的である。そして、記憶手段には一定期間のデータが記憶されているので、使用者の生活パターンに対応させることができる。さらに、使用者がお湯を使うつもりがなかったと判断されるような湯の少量使用では、運転をオンさせないので、経済的である。
【００２０】
請求項６に記載の発明は、制御手段は、記憶手段に記憶されている一定期間の同じ時間帯で一定期間すべての日において積算流量判定結果が一定値を超えていない場合、その時間帯の運転をオフし、１日でも積算流量判定結果が一定値を超えていれば運転をオンする請求項５記載の石油給湯機である。
【００２１】
そして、これによりお湯を使う可能性があると判断した時間帯は必ず運転がオンされているので、予熱時間を待つことなくお湯が使え、大変便利である。また、記憶手段に一定期間すべての日において使用時間判定結果が一定値を超えていないと記憶されている時間帯は運転オフされるので、経済的である。
【００２２】
請求項７に記載の発明は、制御手段は、記憶手段に記憶されている同じ時間帯の積算流量判定結果が一定値を超えた日が設定された日数未満であるときはその時間帯の運転をオフし、それ以外の場合はその時間帯の運転をオンする請求項５記載の石油給湯機である。
【００２３】
そして、これによりよくお湯を使ったと判定した時間帯だけが運転オンになるので、経済的である。
【００２４】
請求項８に記載の発明は、前記積算流量判定手段の判定値を、時間帯によって変化させる請求項５記載の石油給湯機である。
【００２５】
そして、これにより生活パターンに応じた運転ができ、使いたいときにすぐ使える利便性と、無駄な運転をしない経済性の両立ができる。
【００２６】
【実施例】
以下本発明の石油給湯機の実施例を図面を参照しながら説明する。
【００２７】
（実施例１）
図１は実施例１の石油給湯機の構成図である。図２は実施例１の石油給湯機の記憶フローチャートである。
【００２８】
１は熱交換器、２はバーナー、３は熱交換器１に流れる水の流量を検出する流量センサー、４は灯油を気化する気化器、５は気化器４で気化されたガスをバーナー２に導くガス通路、６は気化器４に灯油を供給する送油管、７は燃焼を制御する制御手段、８は水の流れの有無を過去７日分記憶する記憶手段である。
【００２９】
図１と図２を用いてその動作を説明する。まず、水の流れの有無を記憶させる方法であるが、１時間毎に時間帯を区切る。例えば時間帯として６時台の１時間に、流量センサー３が水の流れを検出すれば、水の流れ有りということで、記憶手段８に「１」を記憶させる。７時台に流量センサーが水の流れを検出しなければ、水の流れなしとして、記憶手段８に「０」を記憶させる。このように、過去７日分のデータを記憶させる。（表１）は実施例１の石油給湯機の記憶手段８の記憶データである。
【００３０】
【表１】
0004038933.tif 000002
【００３１】
図３は、制御手段７が運転のオン・オフを決定する運転フローチャートである。図３を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間のすべての日においてデータが「０」の場合、その時間帯の運転をオフさせる。また、過去７日間において、１日でもデータが「０」でない場合は、運転をオンさせる。
【００３２】
つまり、過去７日間のすべての日において水の流れがない場合、その時間帯の運転をオフさせる。また、過去７日間において、１日でも水の流れがある時間帯は、運転をオンさせる。その結果が、（表１）の今日の運転の欄である。
【００３３】
このように、記憶手段７に記憶されている各時間帯の水の流れの有無をもとに各時間帯の運転のオン・オフを行うことにより、以下の効果を有する。まず、使用者が運転スイッチを操作することなく、お湯を使うことができる。また、その時は予熱時間を待つ必要がないので、大変便利である。さらに、運転スイッチを切らなくても自動的に運転がオフされるので、切り忘れなど無く、経済的である。
【００３４】
そして、生活パターンは、１週間で繰り返されることが多く、このように過去７日間のデータを記憶させ、１日でも水の流れが記憶されている時間帯の運転をオンさせることにより、お湯を使う可能性のあるところは必ず運転がオンされているので、予熱時間を待つことなくお湯が使え、大変便利である。
【００３５】
また、過去１週間に一度もお湯を使わなかった時間帯、例えば眠っている時間帯など、運転がオフされているので、経済的である。
【００３６】
なお、記憶手段８に記憶させるデータは、７日間に限定するものではなく、平日も休日も同じような生活パターンであれば、少ない日数で良い。また、日数を多くすることで、お湯の使われ方のデータが増えるので、使いたいときに運転がオフしていることを防ぐことができる。
【００３７】
なお、実施例１では、時間帯を１時間毎に区切ったが、３０分毎や２時間毎、３時間毎に区切っても良い。時間帯を細かく区切ることにより、お湯を使っていない時間帯については運転をオフすることができるので、経済的ではある。しかし、生活パターンが少しずれただけでも、お湯を使いたいときに運転がオフしているので、利便性は悪くなる。時間帯を長くすると、逆のことがいえる。
【００３８】
（実施例２）
（表２）は実施例２の石油給湯機の記憶手段８の記憶データである。構成は、実施例１の構成と同じである。
【００３９】
【表２】
0004038933.tif 000003
【００４０】
図４は、制御手段７が運転のオン・オフを決定する運転フローチャートである。図４を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間においてデータが「０」であるのが４日未満の場合、その時間帯の運転をオフさせる。また、過去７日間においてデータが「０」であるのが４日以上の場合は、運転をオンさせる。つまり、過去７日間のうち４日以上水の流れがある場合、その時間帯の運転をオンさせるということである。また、過去７日間のうち水の流れがない日が４日未満の場合、その時間帯の運転をオフさせる。その結果が、表２の今日の運転の欄である。
【００４１】
実施例１では、使いたいときはいつでも使えるという特長があるが、反面、運転はオンしているけれども、お湯を使わなかったということも発生する。経済的とはいえない場合もある。そこで、実施例２のように、制御手段７が自動的に運転をオンするのは、よくお湯を使う時間帯にだけに制限すると経済性はよくなる。
【００４２】
実施例２では、過去７日のうち４日以上水の流れがあった場合にその時間帯の運転をオンしているが、４日という日数は、使用者がお湯の使うパターンに合わせて、設定しても良い。また、使いたいときにいつでも使える利便性と、経済性のバランスを考慮して設定することが望ましい。
【００４３】
（実施例３）
図５は、実施例３の石油給湯機の構成図である。１から８までは、実施例１と同じである。９は流量センサー３が水の流れを検知している時間を計測するタイマー、１０はタイマー９が一定値を超えたかどうかを判定する使用時間判定手段である。
【００４４】
図６は、実施例３の記憶フローチャートである。各時間帯において流量センサー３が水の流れを検知している時間をタイマー９がカウントする。使用時間判定手段１０は、タイマー９のカウント時間が３０秒を超えた場合に、記憶手段８にその時間帯のデータとして「１」を記憶する。また、使用時間判定手段１０は、タイマー９のカウント時間が３０秒を超えなかった場合には、記憶手段８にその時間帯のデータとして「０」を記憶する。
【００４５】
使用時間判定手段１０で、タイマー９のカウント時間が３０秒を超えたかどうかを判定させているので、以下のような効果がある。
【００４６】
近年、洗面所や台所の混合栓は、ワンレバータイプと呼ばれるものが主流である。このタイプは、一つのレバーで、お湯の出し止めと温度調節が可能であり、便利である。しかし、お湯を使った後、そのままの温度でお湯を止めて、次に水を使おうとした場合、温度調節を水側に回してから水を出す必要がある。この時、先にお湯を出し、その後、温度調節を水側に回すような操作をすると、石油給湯機の流量センサー３が少量の水の流れを検知してしまう。また、レバーはお湯のままでも、石油給湯機から混合栓までの配管に残っている水が混合栓から出てしまうまでは、実際にはお湯がでないため、手を洗うなどの少量の水を使うときに、レバーをその都度水に戻さずに使われる場合もある。
【００４７】
このように、使用者が、お湯を使うつもりがなかったにも関わらず、お湯を少量使うような場合には、この使用を次の運転のデータとしては用いない方が良い。タイマー９と使用時間判定手段１０を設けることにより、少量使用のデータを排除することができる。なお、タイマー９のカウントについては、１回の湯の使用時間をカウントしても良いし、各時間帯の流量センサー３の水の流れを積算する、例えば、その時間帯の中で２回使用したとして２回の使用時間を積算しても良い。
【００４８】
（表３）は実施例３の石油給湯機の記憶手段８の記憶データである。
【００４９】
【表３】
0004038933.tif 000004
【００５０】
図７は、制御手段７が運転のオン・オフを決定する運転フローチャートである。図７を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間のすべての日においてデータが「０」の場合、その時間帯の運転をオフさせる。また、過去７日間において、１日でもデータが「０」でない場合は、運転をオンさせる。つまり、過去７日間のすべての日において使用時間判定手段１０が判定値である３０秒を超えていない場合、その時間帯の運転をオフさせる。また、過去７日間において、１日でも使用時間判定手段１０が判定値である３０秒を超えている時間帯は、運転をオンさせる。その結果が、表３の今日の運転の欄である。
【００５１】
このように、記憶手段７に記憶されている各時間帯毎の使用時間判定結果をもとに各時間帯の運転のオン・オフを行うことにより、以下の効果を有する。まず、使用者が運転スイッチを操作することなく、お湯を使うことができる。また、その時は予熱時間を待つ必要がないので、大変便利である。さらに、運転スイッチを切らなくても自動的に運転がオフされるので、切り忘れなど無く、経済的である。
【００５２】
そして、生活パターンは、１週間で繰り返されることが多く、このように過去７日間のデータを記憶させ、１日でもお湯を使ったと判定した時間帯の運転をオンさせることにより、お湯を使う可能性のあるところは必ず運転がオンされているので、予熱時間を待つことなくお湯が使え、大変便利である。
【００５３】
また、過去１週間に一度もお湯を使わなかったと判定した時間帯、例えば眠っている時間帯など、運転がオフされているので、経済的である。
【００５４】
（実施例４）
（表４）は実施例４の石油給湯機の記憶手段８の記憶データである。構成は、実施例３の構成と同じである。
【００５５】
【表４】
0004038933.tif 000005
【００５６】
図８は、制御手段７が運転のオン・オフを決定する運転フローチャートである。図８を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間においてデータが「０」であるのが４日未満の場合、その時間帯の運転をオフさせる。また、過去７日間においてデータが「０」であるのが４日以上の場合は、運転をオンさせる。つまり、過去７日間の同じ時間帯の使用時間判定結果が判定値である３０秒を超えた日が４日未満の場合、その時間帯の運転をオフさせる。また、使用時間判定結果が判定値である３０秒を超えた日が４日以上の場合、その時間帯の運転をオンさせる。その結果が、表４の今日の運転の欄である。
【００５７】
実施例３では、使いたいときはいつでも使えるという特長があるが、反面、運転はオンしているけれども、お湯を使わなかったということも発生する。経済的とはいえない場合もある。そこで、実施例４のように、制御手段７が自動的に運転をオンするのは、よくお湯を使う時間帯にだけに制限すると経済性はよくなる。
【００５８】
実施例４では、過去７日のうち４日以上使用時間が一定値を超えた場合にその時間帯の運転をオンしているが、４日という日数は、使用者がお湯の使うパターンに合わせて、設定しても良い。また、使いたいときにいつでも使える利便性と、経済性のバランスを考慮して設定しても良い。
【００５９】
（実施例５）
図９は、実施例５の石油給湯機の記憶フローチャートである。構成は実施例３と同じである。実施例５では、使用時間判定手段１０の判定値を午前と午後で変化させている。午前の判定値は３０秒、午後の判定値は２分である。午前中にお湯を使った場合は、タイマー９が３０秒以上カウントすれば、使用時間判定手段１０は記憶手段８に「１」を記憶させるが、午後にお湯を使った場合は、タイマー９が２分以上カウントしないと、使用時間判定手段１０は記憶手段８に「１」を記憶させない。
【００６０】
お湯の使用パターンを調査した結果、午前中は、洗面や食後の洗い物、掃除等短時間の使用が多い。午後は、おふろへの湯張りやシャワー等使用時間が長くなっている。夕食後の洗い物も量が多く、使用時間は長くなっている。
【００６１】
また、朝一番の洗面などは、予熱を待たずにすぐに使いたいという要望が強かった。
【００６２】
経済性を良くするためには、自動的に運転をオンする条件を厳しくしていけばよい。しかし、実施例３の使用時間判定手段１０の判定値を大きくするだけでは、朝一番の洗面のような使用時間では、自動的に運転をオンできなくなってしまう。そこで、実施例５のように時間帯によって使用時間判定手段の判定値を変化させることにより、経済性と利便性の両立ができる。
【００６３】
なお、実施例５では午前と午後で使用時間判定手段１０の判定値を変化させたが、使用者の生活パターンにあわせて、その時間帯を設定すればよい。また、判定値を３０秒と２分の２つにしたが、２つ以上であれば、３つでもかまわない。
【００６４】
（実施例６）
図１０は、実施例６の石油給湯機の構成図である。１から８までは実施例１と同じである。１１は流量センサー３の信号を受けて単位時間当たりの積算流量をカウントするカウンタ、１２はカウンタ１１の積算流量が一定値を超えたかどうか判定する積算流量判定手段である。
【００６５】
図１１は、実施例６の記憶フローチャートである。各時間帯において流量センサー３が水の流れを検知している場合、カウンタ１１が積算流量をカウントする。積算流量判定手段１２は、カウンタ１１の積算流量が３リットルを超えた場合に、記憶手段８にその時間帯のデータとして「１」を記憶する。また、積算流量判定手段１２は、カウンタ１１の積算流量が３リットルを超えなかった場合には、記憶手段８にその時間帯のデータとして「０」を記憶する。
【００６６】
積算流量判定手段１２で、カウンタ１１の積算流量が３リットルを超えたかどうかを判定させているので、以下のような効果がある。
【００６７】
それは、実施例３と同じく、使用者が、お湯を使うつもりがなかったにも関わらず、お湯を少量使うような場合には、この使用を次の運転のデータとしては用いない方が良い。カウンタ１１と積算流量判定手段１２を設けることにより、少量使用のデータを排除することができる。なお、カウンタ１１のカウントについては、１回の湯の使用について積算流量をカウントしても良いし、各時間帯の流量センサー３の水の流れを積算する、例えば、その時間帯の中で２回使用したとして２回の積算流量を積算しても良い。
【００６８】
（表５）は実施例６の石油給湯機の記憶手段８の記憶データである。
【００６９】
【表５】
0004038933.tif 000006
【００７０】
図１２は、制御手段７が運転のオン・オフを決定する運転フローチャートである。図１２を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間のすべての日においてデータが「０」の場合、その時間帯の運転をオフさせる。また、過去７日間において、１日でもデータが「０」でない場合は、運転をオンさせる。つまり、同じ時間帯で過去７日間すべての日において積算流量判定結果が判定値である３リットルを超えていない場合、その時間帯の運転をオフさせる。３リットルを超えている場合は、その時間帯の運転をオンさせる。その結果が、表５の今日の運転の欄である。
【００７１】
このように、記憶手段７に記憶されている各時間帯毎の積算流量判定結果をもとに各時間帯の運転のオン・オフを行うことにより、以下の効果を有する。まず、使用者が運転スイッチを操作することなく、お湯を使うことができる。また、その時は予熱時間を待つ必要がないので、大変便利である。さらに、運転スイッチを切らなくても自動的に運転がオフされるので、切り忘れなど無く、経済的である。
【００７２】
さらに、生活パターンは、１週間で繰り返されることが多く、このように過去７日間のデータを記憶させ、１日でもお湯が必要であると記憶されている時間帯の運転をオンさせることにより、お湯の必要性のある時間帯は必ず運転がオンされているので、予熱時間を待つことなくお湯が使え、大変便利である。
【００７３】
また、過去１週間に一度もお湯の必要性がないと判定された時間帯、例えば眠っている時間帯など、運転がオフされているので、経済的である。
【００７４】
（実施例７）
（表６）は実施例７の石油給湯機の記憶手段８の記憶データである。構成は、実施例６の構成と同じである。
【００７５】
【表６】
0004038933.tif 000007
【００７６】
図１３は、制御手段７が運転のオン・オフを決定する運転フローチャートである。図１３を用いて、記憶データを元に運転のオン・オフを決定する方法を説明する。ある時間帯の運転を決定するために、制御手段７は記憶手段８のデータを参照する。記憶手段８には過去７日分のデータが記憶されている。過去７日間においてデータが「０」であるのが４日未満の場合、その時間帯の運転をオフさせる。また、過去７日間においてデータが「０」であるのが４日以上の場合は、運転をオンさせる。つまり、同じ時間帯の積算流量判定結果が判定値である３リットルを超えた日が過去７日間のうち４日未満の場合、運転をオフさせる。３リットルを超えた日が４日以上の場合は、運転をオンさせる。その結果が、表６の今日の運転の欄である。
【００７７】
実施例６では、使いたいときはいつでも使えるという特長があるが、反面、運転はオンしているけれども、お湯を使わなかったということも発生する。経済的とはいえない場合もある。そこで、実施例７のように、制御手段７が自動的に運転をオンするのは、よくお湯を使う時間帯にだけに制限すると経済性はよくなる。
【００７８】
実施例７では、過去７日のうち４日以上積算流量が一定値を超えた場合にその時間帯の運転をオンしているが、４日という日数は、使用者がお湯の使うパターンに合わせて、設定しても良い。また、使いたいときにいつでも使える利便性と、経済性のバランスを考慮して設定しても良い。
【００７９】
（実施例８）
図１４は、実施例８の石油給湯機の記憶フローチャートである。構成は実施例６と同じである。実施例８では、積算流量判定手段１２の判定値を午前３時から午前１０時までと、この時間以外で変化させている。午前３時から午前１０時までの判定値は３リットル、この時間外の判定値は１０リットルである。午前３時から午前１０時までにお湯を使った場合は、カウンタ１１が３リットル以上カウントすれば、積算流量判定手段１２は記憶手段８に「１」を記憶させるが、それ以外の時間帯では、カウンタ１１が１０リットル以上カウントしないと、積算流量判定手段１０は記憶手段８に「１」を記憶させない。
【００８０】
実施例８の効果は、実施例５と同様、時間帯により積算流量判定手段１２の判定値を変化させることにより、利便性と経済性の両立がはかれる。
【００８１】
なお、実施例５では午前３時から午前１０時までとこの時間帯以外で積算流量判定手段１２の判定値を変化させたが、使用者の生活パターンにあわせて、その時間帯を設定すればよい。また、判定値を３リットルと１０リットルの２つにしたが、２つ以上であれば、３つでもかまわない。
【００８２】
【発明の効果】
以上の説明から明らかなように、本発明の石油給湯機によれば、次の効果が得られる。
【００８３】
流量センサーが水の流れを検知している時間を計測するタイマーと、前記タイマーが一定値を超えたかどうかを判定する使用時間判定手段を設け、記憶手段に記憶されている各時間帯の使用時間判定結果をもとに各時間帯の運転のオン・オフを行うことにより、使用者がお湯を使うつもりがなかったと判断されるような湯の少量使用では、運転をオンさせないので、経済的である。
【００８４】
記憶手段に記憶されている一定期間の同じ時間帯で一定期間すべての日において使用時間判定結果が一定値を超えていない場合、その時間帯の運転をオフし、１日でも使用時間判定結果が一定値を超えていれば運転をオンすることにより、お湯を使う可能性のあると判断した時間帯は必ず運転がオンされているので、予熱時間を待つことなくお湯が使え、大変便利である。また、記憶手段に一定期間すべての日において使用時間判定結果が一定値を越えていないと記憶している時間帯、すなわち過去一定期間に一度もお湯を使わなかった時間帯、例えば眠っている時間帯など、運転がオフされているので、経済的である。
【００８５】
記憶手段に記憶されている同じ時間帯の使用時間判定結果が一定値を超えた日が設定された日数未満であるときはその時間帯の運転をオフし、それ以外の場合はその時間帯の運転をオンすることにより、よくお湯を使う時間帯だけが運転オンになるので、経済的である。
【００８６】
使用時間判定手段の判定値を、時間帯によって変化させることにより、生活パターンに応じた運転ができ、使いたいときにすぐ使える利便性と、無駄な運転をしない経済性の両立が可能である。
【００８７】
流量センサーの信号を受けて単位時間当たりの積算流量をカウントするカウンタと、前記カウンタが一定値を超えたかどうか判定する積算流量判定手段を設け、記憶手段に記憶されている各時間帯の積算流量判定結果をもとに各時間帯の運転のオン・オフを行うことにより、使用者がお湯を使うつもりがなかったと判断されるような湯の少量使用では、運転をオンさせないので、経済的である。
【００８８】
記憶手段に記憶されている一定期間の同じ時間帯で一定期間すべての日において積算流量判定結果が一定値を超えていない場合、その時間帯の運転をオフし、１日でも積算流量判定結果が一定値を超えていれば運転をオンすることにより、お湯を使う可能性のあると判断した時間帯は必ず運転がオンされているので、予熱時間を待つことなくお湯が使え、大変便利である。また、記憶手段に一定期間すべての日において積算流量判定結果が一定値を越えていないと記憶している時間帯、すなわち過去一定期間に一度もお湯を使わなかった時間帯、例えば眠っている時間帯など、運転がオフされているので、経済的である。
【００８９】
記憶手段に記憶されている同じ時間帯の積算流量判定結果が一定値を超えた日が設定された日数未満であるときはその時間帯の運転をオフし、それ以外の場合はその時間帯の運転をオンすることにより、よくお湯を使う時間帯だけが運転オンになるので、経済的である。
【００９０】
積算流量判定手段の判定値を、時間帯によって変化させることにより、生活パターンに応じた運転ができ、使いたいときにすぐ使える利便性と、無駄な運転をしない経済性の両立が可能である。
【図面の簡単な説明】
【図１】  本発明の実施例１の石油給湯機の構成図
【図２】  同石油給湯機の記憶フローチャート
【図３】  同石油給湯機の運転フローチャート
【図４】  本発明の実施例２の石油給湯機の運転フローチャート
【図５】  本発明の実施例３の石油給湯機の構成図
【図６】  同石油給湯機の記憶フローチャート
【図７】  同石油給湯機の運転フローチャート
【図８】  本発明の実施例４の石油給湯機の運転フローチャート
【図９】  本発明の実施例５の石油給湯機の記憶フローチャート
【図１０】  本発明の実施例６の石油給湯機の構成図
【図１１】  同石油給湯機の記憶フローチャート
【図１２】  同石油給湯機の運転フローチャート
【図１３】  本発明の実施例７の石油給湯機の運転フローチャート
【図１４】  本発明の実施例８の石油給湯機の記憶フローチャート
【符号の説明】
３  流量センサー
７  制御手段
８  記憶手段
９  タイマー
１０  使用時間判定手段
１１  カウンタ
１２  積算流量判定手段
【図１】
0004038933.tif 000008
【図２】
0004038933.tif 000009
【図３】
0004038933.tif 000010
【図４】
0004038933.tif 000011
【図５】
0004038933.tif 000012
【図６】
0004038933.tif 000013
【図７】
0004038933.tif 000014
【図８】
0004038933.tif 000015
【図９】
0004038933.tif 000016
【図１０】
0004038933.tif 000017
【図１１】
0004038933.tif 000018
【図１２】
0004038933.tif 000019
【図１３】
0004038933.tif 000020
【図１４】
0004038933.tif 000021